(57)【要約】【課題】  単一のオリフィス部材が容易に且つ安定して組み付けられることによって、製造作業の効率化や低コスト化が有利に図られると共に、所期の防振効果が安定して得られる新規な構造の流体封入式筒型防振装置を提供することにある。【解決手段】  オリフィス部材３４を半周より大きな周方向長さで延びる略Ｃ字形状の単一部材とすると共に、その軸方向幅寸法を第一及び第二のポケット部３２ａ, ３２ｂの軸方向幅寸法よりも小さくする一方、オリフィス部材３４の周方向中間部分を軸方向に連続して直線的に延びる軸方向溝５４を形成することにより該オリフィス部材３４の軸方向溝５４の形成部位での変形が許容されるようにして、オリフィス部材３４を一体加硫成形品２６に対して軸直角方向に組み付けて装着することが出来るようにした。【選択図】  図８
2006138430.tif 000002
【特許請求の範囲】
【請求項１】
軸部材とその外周側に離隔配置された中間スリーブの軸直角方向対向面間に本体ゴム弾性体を配設して該軸部材と該中間スリーブを該本体ゴム弾性体で弾性連結した一体加硫成形品を備えており、該一体加硫成形品には該本体ゴム弾性体に該軸部材を挟んだ軸直角方向一方向で対向位置する第一のポケット部と第二のポケット部が設けられて該中間スリーブに形成された第一及び第二の窓部を通じてそれぞれ外周面に開口せしめられている一方、該一体加硫成形品に対して外筒部材が外挿されて該中間スリーブに外嵌固定されることにより該第一のポケット部と該第二のポケット部が流体密に覆蓋されて、それぞれ非圧縮性流体が封入された第一の流体室と第二の流体室が形成されていると共に、該第一の流体室と該第二の流体室の間に亘って周方向に延びるオリフィス部材が該中間スリーブと該外筒部材の間に配設されており、該オリフィス部材の外周面に形成された凹溝が該外筒部材で覆蓋されることによって該第一の流体室と該第二の流体室を相互に連通するオリフィス通路が形成された流体封入式筒型防振装置において、
前記オリフィス部材を半周より大きな周方向長さで延びる略Ｃ字形状の単一部材とすると共に、その軸方向幅寸法を前記第一及び第二のポケット部の軸方向幅寸法以下とする一方、該オリフィス部材の周方向中間部分を軸方向に連続して直線的に延びる軸方向溝を形成することにより該オリフィス部材の該軸方向溝の形成部位での変形が許容されるようにして、該オリフィス部材を前記一体加硫成形品に対して軸直角方向に組み付けて装着することが出来るようにしたことを特徴とする流体封入式筒型防振装置。
【請求項２】
前記第一のポケット部と前記第二のポケット部の各底面が、それら第一のポケット部と第二のポケット部が対向位置する軸直角方向線に対して略直交して互いに略平行に広がる形状をもって形成されている請求項１に記載の流体封入式筒型防振装置。
【請求項３】
前記中間スリーブに軸直角方向外方に開口して周方向に所定の長さで延びる周溝を形成すると共に、該周溝に前記オリフィス部材の周方向中間部分が嵌め込まれて支持されている請求項１又は２に記載の流体封入式筒型防振装置。
【請求項４】
前記中間スリーブにおける前記周溝の幅方向両側内面に弾性突部を、それぞれ形成して、該一対の弾性突部が前記オリフィス部材の前記軸方向溝の両端開口部に係合されていることに基づいて、該オリフィス部材が該中間スリーブの周方向に位置決め支持されていると共に、該軸方向溝の両端開口部が流体密にシールされている請求項３に記載の流体封入式筒型防振装置。
【請求項５】
前記中間スリーブの前記周溝が軸直角方向で対向位置せしめられるようにして一対形成されており、前記オリフィス部材の周方向中間部分が該一方の周溝に対して係止されていると共に、該オリフィス部材の周方向両端部が該他方の周溝に対して係止されている請求項３又は４に記載の流体封入式筒型防振装置。
【請求項６】
前記オリフィス部材が合成樹脂材を用いて形成されている請求項１乃至５の何れかに記載の流体封入式筒型防振装置。
【請求項７】
前記一方の周溝の両側面に前記本体ゴム弾性体と一体形成されたシールゴム層を被着して、該シールゴム層を、前記中間スリーブおよび前記オリフィス部材の各外周面と前記外筒部材の内周面との間で挟圧せしめた請求項１乃至６の何れかに記載の流体封入式筒型防振装置。
【請求項８】
前記第一の流体室や前記第二の流体室の外部における前記軸部材の端部にストッパ部材を突設して、前記外筒部材と所定距離を隔てて位置せしめて、該軸部材が該ストッパ部材を介して該外筒部材に当接されることに基づきそれら軸部材と外筒部材における接近方向の変位量が緩衝的に制限されるようにした請求項１乃至７の何れかに記載の流体封入式筒型防振装置。
【請求項９】
軸部材の外周側に中間スリーブを離隔配置してそれら軸部材と中間スリーブを本体ゴム弾性体で弾性連結すると共に、該本体ゴム弾性体に該軸部材を挟んだ軸直角方向一方向で対向位置せしめるように第一のポケット部と第二のポケット部を設けて該中間スリーブに形成した第一及び第二の窓部を通じて、それぞれ外周面に開口せしめた一体加硫成形品を準備する工程と、
半周より大きな周方向長さで延びる略Ｃ字形状の単一部材として、軸方向幅寸法を前記第一及び第二のポケット部の軸方向幅寸法以下とすると共に、外周面に凹溝を形成し、更に周方向中間部分に軸方向に連続して直線的に延びる軸方向溝を形成したオリフィス部材を準備する工程と、
前記オリフィス部材を、前記軸方向溝の形成部位での変形を許容するようにして、軸直角方向外方から前記一体加硫成形品に嵌め付けることにより、前記第一のポケット部および前記第二のポケット部を周方向に跨いで該一体加硫成形品に組み付けて装着する工程と、
前記中間スリーブに外筒部材を外嵌固定して前記第一のポケット部と前記第二のポケット部を流体密に覆蓋することにより、非圧縮性流体が封入された第一の流体室と第二の流体室を形成すると共に、前記オリフィス部材の前記凹溝を該外筒部材で覆蓋せしめることによって該第一の流体室と該第二の流体室を相互に連通するオリフィス通路を形成する工程と
を含むことを特徴とする流体封入式筒型防振装置の製造方法。
【請求項１０】
前記第一の流体室や前記第二の流体室の外部における前記軸部材の端部にストッパ部材を突設して、前記外筒部材と所定距離を隔てて位置せしめる工程を含む請求項９に記載の流体封入式筒型防振装置の製造方法。
【請求項１１】
前記第一のポケット部と前記第二のポケット部の各底面をそれら第一のポケット部と第二のポケット部が対向位置する軸直角方向線に対して略直交して互いに略平行に広がる形状をもって形成し、前記オリフィス部材の周方向両端部の間に該第一のポケット部と該第二のポケット部における軸直角方向一方の各端部を位置せしめると共に、該オリフィス部材をそれら両ポケット部の軸直角方向他方の各端部に向かって該両ポケット部の各底面が延びる方向に沿って案内して前記一体加硫成形品に対して軸直角方向に組み付ける請求項９に記載の流体封入式筒型防振装置の製造方法。
【発明の詳細な説明】
【技術分野】
【０００１】
本発明は、内部に封入された非圧縮性流体の流動作用等に基づいて発揮される防振特性を利用して防振効果を得るようにした流体封入式の筒型防振装置に係り、例えば、自動車用のサスペンションブッシュやエンジンマウント、サブフレームマウント、ボデーマウント、デフマウント等に適用される流体封入式筒型防振装置に関するものである。
【背景技術】
【０００２】
従来から、振動伝達系を構成する部材間に介装される防振連結体乃至は防振支持体の一種として、流体封入式の筒型防振装置が知られている。この流体封入式筒型防振装置は、例えば特許文献１（特開昭６１−２７０５３３号公報）にも示されているように、インナ軸金具とその外周側に離隔配置された金属スリーブの径方向対向面間に本体ゴム弾性体を配設すると共に、金属スリーブにアウタ筒金具を外嵌固定した構造とされている。また、本体ゴム弾性体に設けたポケット部を金属スリーブに設けた窓部を通じて外周面に開口すると共に、ポケット部をアウタ筒金具の外嵌固定に伴い流体密に封止することによって、密閉構造の流体封入領域を備えている。更に、オリフィス部材を、外周面に周溝を形成した略半円弧形状の一対の分割構造体にて構成し、それら分割構造体を金属スリーブとアウタ筒金具の間に配設して、両周溝を互いに接続せしめると共に、外筒部材で覆蓋せしめることによってオリフィス通路を構成して、該オリフィス通路を通じて流体封入領域に形成された複数の流体室を互いに連通せしめている。オリフィス部材を分割構造体とすることは、例えば金属スリーブに対する外方からの組み付け作業が容易となるからである。このような筒型防振装置においては、振動入力時に、複数の流体室に相対的な圧力変動が惹起されてオリフィス通路を通じて流動せしめられる流体の流動量が確保されることに基づき、該通路を通じての流体の共振作用等の流動作用に基づく防振効果が得られることから、例えば自動車用のサスペンションブッシュ等への適用が検討されている。
【０００３】
ところが、上述の流体封入式筒型防振装置においては、オリフィス部材が一対の分割構造体で構成されているために、部品点数が増加して製造コストに負担がかかることに加えて、流体室やオリフィス通路の流体密性が高度に発揮されるように一対の分割構造体を、金属スリーブとアウタ筒金具の間で、それぞれ流体密に固定する必要があることから、組み付け作業が難しくなる問題があった。また、このような筒型防振装置では、一対の分割構造体が互いに略同一の半円弧形状とされていること等が多い。そのため、一対の分割構造体の区別や各分割構造体の組み付け方向が一見して判断され難いことに起因して、各分割構造体が誤った位置乃至は方向に組み付けられる、誤組み付けが生じるおそれがあった。このような誤組み付けが発生すると、目的とするオリフィス通路が形成されなくなって所期の防振性能が得られないという重大な問題が発生する。
【０００４】
そこで、これらの問題に対処するために、例えば特許文献２（特開平５−６５９３３号公報）や特許文献３（特開平５−６５９３４号公報）等には、周方向に半周以上の長さで延びる略Ｃ字形状のオリフィス部材を備えた流体封入式筒型防振装置が提案されている。このような分割構造でない単一のオリフィス部材を採用することによって、部品点数が削減されると共に、誤組み付けが防止される。
【０００５】
しかしながら、特許文献２，３に示される流体封入式筒型防振装置にあっては、オリフィス部材を金属スリーブとアウタ筒金具の間に配設する際に、オリフィス部材の軸方向両端部が金属スリーブの開口窓の縁部に重ね合わせられて支持されるようになっている。そのために、両側半周部分では剛性が大きくて曲率半径が略一定とされるオリフィス部材を、周上の中央部分だけで湾曲させて、金属スリーブに対して軸方向に外挿できる程に拡開させようとすると、オリフィス部材を相当程度に大きく変形させる必要があり、オリフィス部材の組み付け作業が極めて困難となる。しかも、オリフィス部材を強引に変形せしめることに起因する歪みの発生により、オリフィス部材、延いてはオリフィス通路の形状安定性が維持され難くなって、流体室やオリフィス通路のシール性が発揮され難くなり、所期の防振効果が安定して発揮され難くなるおそれもある。
【０００６】
【特許文献１】特開昭６１−２７０５３３号公報
【特許文献２】特開平５−６５９３３号公報
【特許文献３】特開平５−６５９３４号公報
【発明の開示】
【発明が解決しようとする課題】
【０００７】
ここにおいて、本発明は、上述の如き事情を背景として為されたものであって、その解決課題とするところは、少ない部品点数でオリフィス部材が容易に組み付けられることに基づいて製造作業の効率化や低コスト化が達成されることに加え、オリフィス部材の形状安定性が好適に保持されることにより、所期の防振効果が安定して得られる、新規な構造の流体封入式筒型防振装置とかかる流体封入式筒型防振装置に関する新規な製造方法を提供することにある。
【課題を解決するための手段】
【０００８】
以下、このような課題を解決するために為された本発明の態様を記載する。なお、以下に記載の各態様において採用される構成要素は、可能な限り任意の組み合わせで採用可能である。また、本発明の態様乃至は技術的特徴は、以下に記載のものに限定されることなく、明細書全体および図面に記載されたもの、或いはそれらの記載から当業者が把握することの出来る発明思想に基づいて認識されるものであることが理解されるべきである。
【０００９】
（流体封入式筒型防振装置に関する本発明の態様１）
流体封入式筒型防振装置に関する本発明の態様１の特徴とするところは、軸部材とその外周側に離隔配置された中間スリーブの軸直角方向対向面間に本体ゴム弾性体を配設して該軸部材と該中間スリーブを該本体ゴム弾性体で弾性連結した一体加硫成形品を備えており、該一体加硫成形品には該本体ゴム弾性体に該軸部材を挟んだ軸直角方向一方向で対向位置する第一のポケット部と第二のポケット部が設けられて該中間スリーブに形成された第一及び第二の窓部を通じてそれぞれ外周面に開口せしめられている一方、該一体加硫成形品に対して外筒部材が外挿されて該中間スリーブに外嵌固定されることにより該第一のポケット部と該第二のポケット部が流体密に覆蓋されて、それぞれ非圧縮性流体が封入された第一の流体室と第二の流体室が形成されていると共に、該第一の流体室と該第二の流体室の間に亘って周方向に延びるオリフィス部材が該中間スリーブと該外筒部材の間に配設されており、該オリフィス部材の外周面に形成された凹溝が該外筒部材で覆蓋されることによって該第一の流体室と該第二の流体室を相互に連通するオリフィス通路が形成された流体封入式筒型防振装置において、前記オリフィス部材を半周より大きな周方向長さで延びる略Ｃ字形状の単一部材とすると共に、その軸方向幅寸法を前記第一及び第二のポケット部の軸方向幅寸法以下とする一方、該オリフィス部材の周方向中間部分を軸方向に連続して直線的に延びる軸方向溝を形成することにより該オリフィス部材の該軸方向溝の形成部位での変形が許容されるようにして、該オリフィス部材を前記一体加硫成形品に対して軸直角方向に組み付けて装着することが出来るようにした流体封入式筒型防振装置にある。
【００１０】
このような本態様に従う構造とされた流体封入式筒型防振装置においては、オリフィス部材の軸方向溝の形成部位での変形が許容されることを利用して、略Ｃ字形状を有するオリフィス部材の開口部を比較的に大きく開口させることが出来る。しかも、オリフィス部材の軸方向幅寸法が第一及び第二のポケット部の軸方向幅寸法以下とされていることにより、オリフィス部材を中間スリーブ（一体加硫成形品）に対して軸直角方向に組み付けるようにすれば、オリフィス部材の周方向両端部を第一及び第二のポケット部内を通過させて軸直角方向から組み付けることが出来る。
【００１１】
それ故、オリフィス部材の両側の略半周部分における曲率半径が小さくても関係なく、オリフィス部材の周方向両端部間の開口量だけが或る程度に確保できれば、オリフィス部材を中間スリーブに組み付けることが可能となる。これにより、オリフィス部材の変形に起因する不具合が防止され、オリフィス部材やその外周面に形成された凹溝の形状安定性が良好に保持されて、第一及び第二の流体室やオリフィス通路の流体密性が高度に発揮され、所期の防振効果が安定して得られるのである。
【００１２】
なお、オリフィス部材の形状や大きさ、構造等は、オリフィス部材の軸方向溝の形成部位での変形が許容されるものであれば、特に限定されるものでない。例えば、オリフィス部材の厚さ寸法を周方向で変化させたり、軸方向溝形成部位とその他の部位などを異なる材料で形成したりすること等は、当業者が適宜に設定変更し得ることである。また、軸方向溝を、オリフィス部材の周方向に離隔して複数本形成することにより、オリフィス部材における変形歪を分散させるようにしても良い。
【００１３】
（流体封入式防振装置に関する本発明の態様２）
流体封入式防振装置に関する本発明の態様２の特徴とするところは、本発明の前記態様１に係る流体封入式筒型防振装置において、前記第一のポケット部と前記第二のポケット部の各底面が、それら第一のポケット部と第二のポケット部が対向位置する軸直角方向線に対して略直交して互いに略平行に広がる形状をもって形成されていることにある。
【００１４】
このような本態様においては、例えば、オリフィス部材の周方向両端部の間に第一のポケット部と第二のポケット部における軸直角方向一方の各端部を位置せしめると共に、オリフィス部材を両ポケット部の軸直角方向他方の各端部に向かって、即ち両ポケット部の各底面が延びる方向に沿って案内して、一体加硫成形品に軸直角方向に組み付けることが出来る。それ故、オリフィス部材の軸方向溝の形成部位の変形量が一層抑えられることとなって、オリフィス部材の形状安定性や組み付け作業の簡便化がより有利に図られると共に、軸方向溝の形成が容易となる。
【００１５】
（流体封入式防振装置に関する本発明の態様３）
流体封入式防振装置に関する本発明の態様３の特徴とするところは、本発明の前記態様１又は２に係る流体封入式筒型防振装置において、前記中間スリーブに軸直角方向外方に開口して周方向に所定の長さで延びる周溝を形成すると共に、該周溝に前記オリフィス部材の周方向中間部分が嵌め込まれて支持されていることにある。
【００１６】
このような本態様においては、オリフィス部材が一体加硫成形品に一層安定して組み付けられる。しかも、オリフィス部材の中間部分が周溝に嵌め込まれていることによって、一体加硫成形品におけるオリフィス部材の軸直角方向外方への突出量が抑えられることとなり、オリフィス通路や流体室のシール構造が簡単になると共に、全体がコンパクトに実現される。
【００１７】
（流体封入式防振装置に関する本発明の態様４）
流体封入式防振装置に関する本発明の態様４の特徴とするところは、本発明の前記態様３に係る流体封入式筒型防振装置において、前記中間スリーブにおける前記周溝の幅方向両側内面に弾性突部を、それぞれ形成して、該一対の弾性突部が前記オリフィス部材の前記軸方向溝の両端開口部に係合されていることに基づいて、該オリフィス部材が該中間スリーブの周方向に位置決め支持されていると共に、該軸方向溝の両端開口部が流体密にシールされていることにある。
【００１８】
このような本態様においては、軸方向溝が流体密にシールされていることにより、オリフィス通路の軸方向溝を通じての圧力漏れが回避されて、所期の防振効果が一層安定して得られる。しかも、オリフィス部材が軸方向溝をシールする一対の弾性突部で周方向に位置決めされていることから、特別な周方向の位置決め手段を設ける必要がなくなり、全体構造が簡略とされて、組付け作業が更に容易となる。
【００１９】
（流体封入式防振装置に関する本発明の態様５）
流体封入式防振装置に関する本発明の態様５の特徴とするところは、本発明の前記態様３又は４に係る流体封入式筒型防振装置において、前記中間スリーブの前記周溝が軸直角方向で対向位置せしめられるようにして一対形成されており、前記オリフィス部材の周方向中間部分が該一方の周溝に対して係止されていると共に、該オリフィス部材の周方向両端部が該他方の周溝に対して係止されていることにある。
【００２０】
このような本態様においては、オリフィス部材の周方向中間部分と両端部が各周溝に支持せしめられていることによって、オリフィス部材が一体加硫成形品に対して一層安定して組み付けられる。
【００２１】
（流体封入式防振装置に関する本発明の態様６）
流体封入式防振装置に関する本発明の態様６の特徴とするところは、本発明の前記態様１乃至５の何れかに係る流体封入式筒型防振装置において、前記オリフィス部材が合成樹脂材を用いて形成されていることにある。
【００２２】
このような本態様においては、軸方向溝や凹溝が容易に形成されることに加えて、金属材等で形成されたオリフィス部材に比して、軽量化が図られる。
【００２３】
（流体封入式防振装置に関する本発明の態様７）
流体封入式防振装置に関する本発明の態様７の特徴とするところは、本発明の前記態様１乃至６の何れかに係る流体封入式筒型防振装置において、前記一方の周溝の両側面に前記本体ゴム弾性体と一体形成されたシールゴム層を被着して、該シールゴム層を、前記中間スリーブおよび前記オリフィス部材の各外周面と前記外筒部材の内周面との間で挟圧せしめたことにある。
【００２４】
このような本態様においては、第一及び第二の流体室やオリフィス通路のシール性がより有利に発揮され、しかも、シールゴム層が本体ゴム弾性体と一体形成されていることによって、組付け作業の更なる簡便化が図られ得る。
【００２５】
（流体封入式防振装置に関する本発明の態様８）
流体封入式防振装置に関する本発明の態様８の特徴とするところは、本発明の前記態様１乃至７の何れかに係る流体封入式筒型防振装置において、前記第一の流体室や前記第二の流体室の外部における前記軸部材の端部にストッパ部材を突設して、前記外筒部材と所定距離を隔てて位置せしめて、該軸部材が該ストッパ部材を介して該外筒部材に当接されることに基づきそれら軸部材と外筒部材における接近方向の変位量が緩衝的に制限されるようにしたことにある。
【００２６】
このような本態様においては、ストッパ部材が流体室内に設けられて外筒部材と液中で当接することに起因して、異音が増幅せしめられることが回避される。それ故、特に装着時の静粛性が有利に発揮される。
【００２７】
（流体封入式筒型防振装置の製造方法に関する本発明の態様１）
流体封入式筒型防振装置の製造方法に関する本発明の態様１の特徴とするところは、（ａ）軸部材の外周側に中間スリーブを離隔配置してそれら軸部材と中間スリーブを本体ゴム弾性体で弾性連結すると共に、該本体ゴム弾性体に該軸部材を挟んだ軸直角方向一方向で対向位置せしめるように第一のポケット部と第二のポケット部を設けて該中間スリーブに形成した第一及び第二の窓部を通じて、それぞれ外周面に開口せしめた一体加硫成形品を準備する工程と、（ｂ）半周より大きな周方向長さで延びる略Ｃ字形状の単一部材として、軸方向幅寸法を前記第一及び第二のポケット部の軸方向幅寸法以下とすると共に、外周面に凹溝を形成し、更に周方向中間部分に軸方向に連続して直線的に延びる軸方向溝を形成したオリフィス部材を準備する工程と、（ｃ）前記オリフィス部材を、前記軸方向溝の形成部位での変形を許容するようにして、軸直角方向外方から前記一体加硫成形品に嵌め付けることにより、前記第一のポケット部および前記第二のポケット部を周方向に跨いで該一体加硫成形品に組み付けて装着する工程と、（ｄ）前記中間スリーブに外筒部材を外嵌固定して前記第一のポケット部と前記第二のポケット部を流体密に覆蓋することにより、非圧縮性流体が封入された第一の流体室と第二の流体室を形成すると共に、前記オリフィス部材の前記凹溝を該外筒部材で覆蓋せしめることによって該第一の流体室と該第二の流体室を相互に連通するオリフィス通路を形成する工程と、を含む流体封入式筒型防振装置の製造方法にある。
【００２８】
このような本発明方法に従えば、周方向に一周弱の十分に長い大きさで延びる単一のオリフィス部材を採用し、それを大きく変形させることなく、中間スリーブ（一体加硫成形品）に対して軸直角方向から組み付けて装着することが可能となる。即ち、オリフィス部材の軸方向幅寸法を第一及び第二のポケット部の軸方向幅寸法以下としたことにより、オリフィス部材を周方向中間部分だけで変形させることにより、周方向両側の各半周部分の曲率半径が小さいままでも、オリフィス部材の周方向両端部を第一及び第二のポケット部内に通すようにして軸直角方向に差し入れることで、オリフィス部材の変形量を小さく抑えつつ、オリフィス部材を一体加硫成形品に対して容易に組み付けることが出来るのである。
【００２９】
それ故、本発明方法に従えば、半周より大きな周方向長さで延びる略Ｃ字形状のオリフィス部材を一体加硫成形品に安定して組み付けることが出来、それによって、オリフィス部材を含む流体封入式筒型防振装置の製造作業の効率化や低コスト化が有利に達成される。また、オリフィス部材の組み付け時の変形量も抑えられて、組み付け後の形状安定性が向上されることにより、流体室やオリフィス通路のシール性が安定して発揮されて、目的とする防振効果を有利に得ることが可能となる。
【００３０】
（流体封入式筒型防振装置の製造方法に関する本発明の態様２）
流体封入式筒型防振装置の製造方法に関する本発明の態様２の特徴とするところは、本発明の前記態様１に係る流体封入式筒型防振装置の製造方法において、前記第一の流体室や前記第二の流体室の外部における前記軸部材の端部にストッパ部材を突設して、前記外筒部材と所定距離を隔てて位置せしめる工程を含むことにある。
【００３１】
このような本態様においては、流体室中にストッパ部材を設ける必要がないことから、流体室を形成する第一及び第二のポケット部の底面を略平坦面とすることが出来る。これにより、第一及び第二のポケット部を通って軸直角方向に組み付けられるオリフィス部材の周方向両端部の開口量を十分に小さくすることが出来、オリフィス部材の組付時に必要とされる拡開変形量を一層有利に抑えることが可能となる。また、ストッパ部材を流体室中に組み付ける必要がないことから、ストッパ部材が液中で外筒部材に当接することに起因する異音の発生が有利に防止される。
【００３２】
（流体封入式筒型防振装置の製造方法に関する本発明の態様３）
流体封入式筒型防振装置の製造方法に関する本発明の態様３の特徴とするところは、本発明の前記態様１に係る流体封入式筒型防振装置の製造方法において、前記第一のポケット部と前記第二のポケット部の各底面をそれら第一のポケット部と第二のポケット部が対向位置する軸直角方向線に対して略直交して互いに略平行に広がる形状をもって形成し、前記オリフィス部材の周方向両端部の間に該第一のポケット部と該第二のポケット部における軸直角方向一方の各端部を位置せしめると共に、該オリフィス部材をそれら両ポケット部の軸直角方向他方の各端部に向かって該両ポケット部の各底面が延びる方向に沿って案内して前記一体加硫成形品に対して軸直角方向に組み付けることにある。
【００３３】
このような本態様においては、第一及び第二のポケット部の両底面間の距離が十分に小さくされることから、かかる距離だけ周方向両端部間が開口するように変形させることで一体加硫成形品に対して軸直角方向から組み付けることが出来るオリフィス部材の変形量を一層小さく抑えることが出来る。これにより、オリフィス部材の組み付け作業が一層容易となると共に、オリフィス部材の組付後の形状安定性の更なる向上が図られ得る。
【発明の効果】
【００３４】
上述の説明から明らかなように、本発明に従う構造とされた流体封入式筒型防振装置においては、略Ｃ字形状を有する単一のオリフィス部材を、その軸方向溝の形成部位での変形に基づいて、且つ十分に小さな変形量によって、一体加硫成形品に対して軸直角方向で安定して組み付けることが出来る。それ故、部品点数の増加が抑えられて組み付け作業の効率化や低コスト化が図られることに加えて、組付後のオリフィス部材の形状安定性が向上されることにより、流体室やオリフィス通路のシール性が有利に発揮されて、所期の防振効果が安定して得られる。
【発明を実施するための最良の形態】
【００３５】
以下、本発明を更に具体的に明らかにするために、本発明の実施形態について説明する。先ず、図１〜２には、本発明の一実施形態としての自動車のサスペンションブッシュ等に用いられる防振ブッシュ１０が示されている。防振ブッシュ１０は、軸部材としての内筒金具１２と外筒部材としての外筒金具１４が、互いに径方向に所定距離を隔てて位置せしめられていると共に、それらの間に介装された本体ゴム弾性体１６で相互に弾性連結された構造とされている。このような防振ブッシュ１０は、内筒金具１２と外筒金具１４が防振連結される各一方の部材に取り付けられることによって、それら防振連結される部材間に配設されるようになっている。
【００３６】
より詳細には、内筒金具１２は、小径の略円筒形状を有していると共に、特にその軸方向中央部分が全周に亘って軸方向両端部分よりも径方向外方に突出している。また、内筒金具１２の径方向外方には、所定距離を隔てて、中間スリーブとしての薄肉の略円筒形状を有する金属スリーブ１８が、内筒金具１２の中心軸を略同心状に取り囲むように配設されている。また、金属スリーブ１８の軸方向長さが、内筒金具１２の軸方向長さよりも小さくされており、内筒金具１２の軸方向両端部が、金属スリーブ１８から軸方向外方に突出している。
【００３７】
また、金属スリーブ１８の軸方向中央部分には、径方向内方に延びる環状の段差部の一対を介して軸方向両端部分よりも小径とされた略円筒形状の小径部２０が形成されている。小径部２０には、第一の窓部としての第一の開口窓２２ａと第二の窓部としての第二の開口窓２２ｂが内筒金具１２を挟んだ径方向一方向（図２中、上下）に対向位置して、貫通, 形成されている。これら第一及び第二の開口窓２２ａ，２２ｂは、略矩形状を有しており、周方向に所定の長さ（例えば、小径部２０の周方向長さの略１／３の長さ）で延びていると共に、軸方向の両縁部が小径部２０の軸方向両端に位置する段差部の外周縁部にまで延びている。従って、第一の開口窓２２ａと第二の開口窓２２ｂの周方向端部間には、小径部２０と一対の段差部が協働して、径方向外方に凹状に開口する第一の周溝２４ａと第二の周溝２４ｂが形成されている。換言すると、第一の周溝２４ａと第二の周溝２４ｂが、金属スリーブ１８の軸方向中央部分において、第一及び第二の開口窓２２ａ，２２ｂが対向位置する方向と直交する方向（図２中、左右）で対向位置せしめられて、両開口窓２２ａ，２２ｂの間を、それぞれ略一定の凹状断面で周方向に延びている。
【００３８】
また、内筒金具１２と金属スリーブ１８の間には、本体ゴム弾性体１６が配設されている。本体ゴム弾性体１６は、厚肉の略円筒形状を有しており、その外周面が金属スリーブ１８の内周面に加硫接着されていると共に、その内周面が内筒金具１２の外周面に加硫接着されている。これにより、内筒金具１２と金属スリーブ１８が本体ゴム弾性体１６で弾性連結されていると共に、かかる本体ゴム弾性体１６が、図３〜４にも示されているように、内筒金具１２と金属スリーブ１８を備えた一体加硫成形品２６として形成されている。特に本実施形態では、金属スリーブ１８の軸方向端部外周面が露呈されており、本体ゴム弾性体１６の加硫成形後、必要に応じて、金属スリーブ１８に八方絞り等の縮径加工が施されることにより、本体ゴム弾性体１６に対して予圧縮が加えられて、引張応力の軽減が図られる。
【００３９】
さらに、金属スリーブ１８に形成された第一及び第二の周溝２４ａ，２４ｂの外周面には、本体ゴム弾性体１６と一体形成された薄肉のシールゴム層２８が略全体に亘って被着されている。また、第一の周溝２４ａと径方向で対向位置せしめられた第二の周溝２４ｂには、本体ゴム弾性体１６やシールゴム層２８と一体形成された充填ゴム３０が径方向外方に突設されている。充填ゴム３０の先端部（面）が、周方向に略円弧状に延びていると共に、金属スリーブ１８の軸方向端部の外周面と略面一とされている。
【００４０】
更にまた、本体ゴム弾性体１６の軸方向中央部分には、内筒金具１２を挟んだ径方向一方向（図２中、上下）で対向位置せしめるようにして、第一のポケット部３２ａと第二のポケット部３２ｂが形成されている。これら第一のポケット部３２ａや第二のポケット部３２ｂは、金属スリーブ１８に形成された第一及び第二の開口窓２２ａ，２２ｂを通じて、それぞれ本体ゴム弾性体１６の外周面に開口している。また、各ポケット部３２ａ，３２ｂの深さ寸法が、内筒金具１２に至らない大きさとされていると共に、各ポケット部３２ａ, ３２ｂの開口部分の周方向長さが、本体ゴム弾性体１６の周方向長さの略１／３乃至は半分弱とされている。特に本実施形態では、第一のポケット部３２ａと第二のポケット部３２ｂの底面（部）が、両ポケット部３２ａ, ３２ｂが対向位置する軸直角方向線に対して略直交する方向（図２中、左右）に直線的に延びて互いに略平行とされていると共に、略平坦な形状とされている。その結果、本実施形態では、一体加硫成形品２６の形成に際して、図２中の左右方向に型割りの成形型を用いることが出来るようになっている。
【００４１】
また、一体加硫成形品２６には、オリフィス部材３４が組み付けられている。オリフィス部材３４は、図５〜７にも示されているように、全体に略一定の厚さ寸法で略Ｃ字形に湾曲して周方向に半周以上の長さ（本実施形態では、例えば周方向に５／６以上の長さ）で延びる円弧板形状とされている。即ち、オリフィス部材３４の周上の一箇所には、周方向で離隔して対向位置せしめられた一対の周方向端部３６ａ，３６ｂを備えている。
【００４２】
特に本実施形態では、オリフィス部材３４の軸方向（図１, ５，７中、左右）幅寸法が、周方向の全体に亘って略一定とされていると共に、金属スリーブ１８における第一及び第二の周溝２４ａ，２４ｂの軸方向幅寸法や本体ゴム弾性体１６における第一及び第二のポケット部３２ａ，３２ｂの軸方向幅寸法よりも小さくされている。また、オリフィス部材３４における一対の周方向端部３６ａ，３６ｂの間の離隔距離が、内筒金具１２の外径寸法や金属スリーブ１８の各周溝２４ａ，２４ｂの周方向長さよりも小さくされている。更に、オリフィス部材３４の内周面の曲率が、金属スリーブ１８における各周溝２４ａ，２４ｂの外周面の曲率と略同じに設定されていると共に、オリフィス部材３４の外周面の曲率が、金属スリーブ１８の軸方向端部の外周面の曲率と略同じに設定されている。
【００４３】
また、オリフィス部材３４の材料に関しては、特に限定されるものでないが、例えば、ポリアミドや繊維強化プラスチック等の合成樹脂材やばね鋼等の金属材等の変形可能な硬質材が適宜に用いられ、特に本実施形態では、加工の容易や強度、変形量、重量、製造コスト等を考慮して、繊維強化プラスチックが採用されている。それによって、オリフィス部材３４が、主として軸方向（図５，７中、左右）線に沿った板厚方向（図６中、上下左右等）に湾曲乃至は屈曲等の変形が許容されるようになっている。なお、本実施形態のオリフィス部材３４は、弾性を備えているが、要求される製造条件や防振特性等に応じて、弾性に代えて塑性を備えていても良い。
【００４４】
さらに、オリフィス部材３４の外周面には、凹溝３８が形成されている。凹溝３８は、オリフィス部材３４の軸方向中央部分において、周方向一方の端部３６ａから他方の端部３６ｂにまで一定の凹状断面で連続して延びている。また、凹溝３８の周方向両端部が、オリフィス部材３４の各周方向端部において周方向に大きく凹状に開口するように貫設された連通孔４０ａ，４０ｂを通じて、それぞれ、内周面に開口している。
【００４５】
また、オリフィス部材３４が、金属スリーブ１８における第一の周溝２４ａから第二の周溝２４ｂに向かって、即ち図２中の略左右方向に相当する軸直角方向に嵌め入れられて、オリフィス部材３４の周方向中央部分が第一の周溝２４ａに重ね合わせられて支持されている一方、第二の周溝２４ｂに突設された充填ゴム３０がオリフィス部材３４の周方向両端部３６ａ, ３６ｂの間に配されて、各端部３６と周方向で離隔して位置せしめられていると共に、それら周方向両端部３６ａ, ３６ｂが、第二の周溝２４ｂに重ね合わせられて支持されている。それによって、オリフィス部材３４が、第一のポケット部３２ａと第二のポケット部３２ｂの間を周方向に跨ぐようにして一体加硫成形品２６に組み付けられている。
【００４６】
さらに、このような一体加硫成形品２６にオリフィス部材３４を組み付けた組付け体４２（図９参照）には、外筒金具１４が組み付けられている。外筒金具１４は、薄肉で大径の略円筒形状を有していると共に、内周面の略全体に亘って薄肉のシールゴム層４４が被着形成されている。そして、外筒金具１４が、組付け体４２に外挿されて、八方絞り等の縮径加工が施されていることに基づいて、組付け体４２に固着されていると共に、シールゴム層４４が、外筒金具１４と組付け体４２（一体加硫成形品２６およびオリフィス部材３４）の間に挟圧保持されている。
【００４７】
また、組付け体４２に外筒金具１４が流体密に固着されていることに基づいて、第一のポケット部３２ａの開口部分と第二のポケット部３２ｂの開口部分が、金属スリーブ１８に被着されたシールゴム層２８や外筒金具１４に被着されたシールゴム層４４を介して、オリフィス部材３４や外筒金具１４により流体密に覆蓋されている。その結果、それら両ポケット部３２ａ，３２ｂにおいて、壁部の一部が本体ゴム弾性体１６で構成された第一の流体室４６ａと第二の流体室４６ｂが形成されている。流体室４６ａ，４６ｂには、それぞれ、非圧縮性流体が封入されている。かかる非圧縮性流体としては、水やアルキレングリコール，ポリアルキレングリコール，シリコーン油等が採用されるが、後述する流体の共振作用等の流動作用に基づく防振効果を有利に得るために、粘度が０．１Ｐａ・ｓ以下の低粘性流体が好適に採用される。即ち、第一及び第二の流体室４６ａ，４６ｂは、それらが対向位置する軸直角方向（図２中、上下）の振動入力に際して、本体ゴム弾性体１６の弾性変形に基づいて相対的な圧力変動が生ぜしめられるようになっている。
【００４８】
さらに、オリフィス部材３４の外周面に形成された凹溝３８がシールゴム層４４を挟んで外筒金具１４で流体密に覆蓋されていることに基づいて、オリフィス通路４８が構成されており、このオリフィス通路４８の両端部の一方が、オリフィス部材３４の周方向一方の端部３６ａに形成された連通孔４０ａを通じて第一の流体室４６ａに連通せしめられていると共に、オリフィス通路４８の両端部の他方が、オリフィス部材３４の周方向他方の端部３６ｂに形成された連通孔４０ｂを通じて第二の流体室４６ｂに連通せしめられている。これにより、第一の流体室４６ａと第二の流体室４６ｂがオリフィス通路４８を通じて相互に連通せしめられており、振動入力時の両室４６ａ，４６ｂの相対的な圧力変動に基づいて、オリフィス通路４８を通じての流体の流動量が確保されて、該流体の共振作用等の流動作用に基づいて防振効果が発揮されるようになっている。また、オリフィス通路４８は、第一及び第二の流体室４６ａ, ４６ｂの壁ばね剛性や非圧縮性流体の密度等を考慮して通路長さや通路断面積が適当に設定されていることにより、流体の共振作用等に基づく防振効果が、目的とする周波数域の振動に対して有利に発揮されるようにチューニングされている。
【００４９】
また、内筒金具１２の軸方向両端には、ストッパ部材５０が固設されている。ストッパ部材５０は、小径の略円筒形状を有していると共に、軸方向内方に向かう端部が軸直角方向外方に環状に突出せしめられている。更に、その突出先端部分には、全周に亘って緩衝ゴム５２が一体的に固着されている。そして、一対のストッパ部材５０, ５０が圧入等で内筒金具１２の端部に固定されていると共に、緩衝ゴム５２が金属スリーブ１８、延いては外筒金具１４と軸直角方向で所定距離を隔てて対向位置せしめられている。その結果、防振ブッシュ１０に大きな振動が入力された場合に、ストッパ部材５０が緩衝ゴム５２を介して金属スリーブ１８に当接することにより、内筒金具１２と外筒金具１４が互いに接近する方向の変位量が緩衝的に制限されるようになっている。これらの説明からも明らかなように、ストッパ部材５０は、第一の流体室４６ａや第二の流体室４６ｂの外部に配設されている。
【００５０】
そこおいて、オリフィス部材３４の周方向中間部分には、軸方向溝５４が形成されている。軸方向溝５４は、底部から次第に開口幅が大きくなる略一定の略半円状断面で軸方向（図５中、左右）に連続して延びていると共に、その軸方向両端部がオリフィス部材３４の軸方向両端面にまで延びて軸方向外方に開口している。特に本実施形態では、軸方向溝５４が、オリフィス部材３４の周方向両端部３６ａ, ３６ｂの間と径方向で対向位置せしめられたオリフィス部材３４の周方向中央部分に形成されていると共に、凹溝３８の周方向の略中央部分と直交している。また、軸方向溝５４の幅寸法が、オリフィス部材３４の凹溝３８の幅寸法と略同じに、換言するとオリフィス部材３４の軸方向幅寸法の略１／５に設定されている。また、軸方向溝５４の深さ寸法が、凹溝３８の深さ寸法と略同じに、換言するとオリフィス部材３４の板厚寸法の略１／２に設定されている。
【００５１】
その結果、オリフィス部材３４における軸方向溝５４の形成部位としての周方向中央部分が、軸方向溝５４の延びる方向（図５，７中、左右）に沿った板厚方向（図６中、上下左右等）において、屈曲乃至は湾曲等の弾性変形を容易に許容し得るようになっている。特に本実施形態に係る軸方向溝５４がオリフィス部材３４の径方向外方に向かって略半円状断面で拡がっていることによって、軸方向溝５４の底部から軸方向溝５４の両側面が互いに当接する方向に、オリフィス部材３４の応力が抑えられつつ、容易に弾性変形されるようになっている。即ち、オリフィス部材３４の軸方向溝５４を挟んだ周方向両側部分が、軸方向溝５４から互いに径方向外方に向かって容易に変形せしめられることとなり、それに基づいて、オリフィス部材３４の周方向両端部３６ａ, ３６ｂの間（オリフィス部材３４の開口部）が、周方向に容易に拡げられることとなる（図８参照。）。
【００５２】
また、金属スリーブ１８における第一の周溝２４ａの軸方向で対向位置する両側面には、シールゴム５６が被着形成されている。これら一対のシールゴム５６，５６は、一体加硫成形品２６の本体ゴム弾性体１６やシールゴム層２８と一体形成されていると共に、第一の周溝２４ａの側面の延びる方向（図３中、上下）に略一定の矩形断面で延びている。また、シールゴム５６の径方向外方に向かう端部が金属スリーブ１８の第一の開口窓２２ａから突出して、その端面が金属スリーブ１８の外周面よりも径方向外方に位置せしめられている。
【００５３】
さらに、シールゴム５６の中央部分には、弾性突部５８が軸方向内方に向かって突設されている。弾性突部５８は、オリフィス部材３４の軸方向溝５４の半円状断面と同じかそれよりも僅かに大きな半円状断面で突設されている。また、シールゴム５６における弾性突部５８を挟んだ幅方向両側には、一対のシールリップ６０, ６０が一体形成されている。シールリップ６０は、弾性突部５８よりも遙かに小さな大きさで、弾性突部５８と略同じ形状とされている。本実施形態に係る弾性突部５８やシールリップ６０は、第一の周溝２４ａが開口する方向に略一定の半円状断面で延びる略蒲鉾形状とされているが、例えば略半球形状とされていても良い。
【００５４】
そして、オリフィス部材３４が前述の如く一体加硫成形品２６に組み付けられるに際して、図９にも示されているように、オリフィス部材３４の周方向中央部分が金属スリーブ１８の第一の周溝２４ａに重ね合わせられている。そこにおいて、第一の周溝２４ａの両側面に突設されたシールゴム６０，６０の間にオリフィス部材が挟み込まれて支持されている。それによって、各シールゴム６０が、オリフィス部材３４と金属スリーブ１８の間に挟圧保持されている。
【００５５】
また、各シールゴム６０の中央部分に突設された弾性突部５８が、弾性変形されて、オリフィス部材３４における軸方向溝５４の各軸方向端部に流体密に係合されている。これにより、オリフィス部材３４の周方向中央部分が、金属スリーブ１８における第一の周溝２４ａの周方向中央部分に位置決めされていると共に、オリフィス部材３４の周方向両端部３６ａ, ３６ｂの間が、金属スリーブ１８における第二の周溝２４ｂの周方向中央部分に位置決めされている。即ち、軸方向溝５４の両端部に各弾性突部５８が係合されていることに基づいて、オリフィス部材３４が、一体加硫成形品２６（金属スリーブ１８）に対して周方向に位置決め支持されている。
【００５６】
さらに、各シールゴム５６における弾性突部５８の幅方向両側に突設された一対のシールリップ６０，６０が、オリフィス部材３４の軸方向溝５４を周方向（図９中、上下）に挟んだ軸方向（図９中、左右）端部に密着状に当接して、シールゴム５６とオリフィス部材３４の間で弾性変形されて挟圧保持されている。
【００５７】
更にまた、オリフィス通路４８が外筒金具１４で流体密に覆蓋されていることに伴い、シールゴム５６の第一の開口窓２２ａから径方向外方に突出した部分が、弾性変形されて、外筒金具１４と金属スリーブ１８乃至はオリフィス部材３４の間で挟圧保持されている。このことからも明らかなように、本実施形態では、金属スリーブ１８およびオリフィス部材３４の各外周面と外筒金具１４の内周面との間で挟圧せしめて、本体ゴム弾性体１６と一体形成されたシールゴム層が、シールゴム５６を含んで構成されている。
【００５８】
また、軸方向溝５４の径方向外方に向かう開口部分が、外筒金具１４の内周面に被着形成されたシールゴム層４４によって流体密に覆蓋されている。その結果、上述の軸方向溝５４の両端部に弾性突部５８が流体密に係合されていることやシールリップ６０，６０がシールゴム５６とオリフィス部材３４の間で挟圧保持されていることと相俟って、軸方向溝５４が流体密に封止されて、実質的に閉塞せしめられている。
【００５９】
次に、このようなオリフィス部材３４を備えた防振ブッシュ１０に関して、該ブッシュ１０の製造方法の一具体例を説明するが、本発明はかかる具体例に限定されるものでない。
【００６０】
先ず、図示しない所定の成型型に内筒金具１２と金属スリーブ１８をセットして、本体ゴム弾性体１６の材料を成型型に充填して一体加硫成形操作を行うことにより、内筒金具１２と金属スリーブ１８を本体ゴム弾性体１６で相互に連結すると共に、かかる一体加硫成形に伴い本体ゴム弾性体１６に形成した第一のポケット部３２ａや第二のポケット部３２ｂを金属スリーブ１８に予め形成された第一及び第二の開口窓２２ａ, ２２ｂを通じて外周面に開口させる。それによって、内筒金具１２と金属スリーブ１８を備えた本体ゴム弾性体１６の一体加硫成形品２６を得る。
【００６１】
また、繊維強化プラスチックを射出成形すること等によって、外周面に凹溝３８や軸方向溝５４等が形成された、周方向に半周以上の長さで延びる略Ｃ字形状のオリフィス部材３４を準備する。
【００６２】
さらに、図８にも示されているように、オリフィス部材３４の軸方向溝５４が形成された周方向中央部分を径方向外方に向かって弾性的に押し広げることに基づいて、オリフィス部材３４の軸方向溝５４を挟んだ周方向両側部分を径方向外方に拡開させる。その際に、オリフィス部材３４の周方向両端部３６ａ, ３６ｂの離隔距離を、金属スリーブ１８における第一及び第二の周溝２４ａ, ２４ｂの周方向長さ、延いては本体ゴム弾性体１６における第一のポケット部３２ａの底部と第二のポケット部３２ｂの底部の軸直角方向（図２中、上下）に離隔した距離よりも大きくする。
【００６３】
そして、上述の如くオリフィス部材３４を拡開した状態で、オリフィス部材３４の周方向両端部３６ａ, ３６ｂの間に金属スリーブ１８における第一の周溝２４ａの周方向両端部を内挿せしめると共に、オリフィス部材３４が金属スリーブ１８の第二の周溝２４ｂに向かって変位するように、オリフィス部材３４と一体加硫成形品２６を軸直角方向（図２中、左右）に相対的に変位させる。それによって、オリフィス部材３４の両端部３６ａ,３６ｂが、第一のポケット部３２ａと第二のポケット部３２ｂの各一方（図２中、左）の端部から両ポケット部３２ａ, ３２ｂ内に嵌め入れられて、前記軸直角方向に相当する両ポケット部３２ａ, ３２ｂの底面の延びる方向に沿って変位せしめられることとなる。
【００６４】
また、オリフィス部材３４の両端部３６ａ, ３６ｂを、内筒金具１２を跨いで第一のポケット部３２ａと第二のポケット部３２ｂの各他方（図２中、右）の端部に向かって変位せしめ、それら他方の端部から外方に突出させると共に、金属スリーブ１８における第二の周溝２４ｂを跨いで該第二の周溝２４ｂの径方向外方に位置せしめる。
【００６５】
また、オリフィス部材３４の周方向中央部分を、第一の周溝２４ａの両側面に突設された一対のシールゴム５６，５６の間に嵌め込むと共に、周方向中央部分の内周面を第一の周溝２４ａに被着されたシールゴム層２８を挟んで第一の周溝２４ａの底面に重ね合わせて支持させる。また、各シールゴム５６に突設された弾性突部５８をオリフィス部材３４の軸方向溝５４の軸方向両端部に、それぞれ係合する。更に、各シールゴム５６に突設された一対のシールリップ６０, ６０を、弾性変形させてオリフィス部材３４の各軸方向端部と各シールゴム５６の間に挟圧保持させる。
【００６６】
また、前述のオリフィス部材３４が拡開した状態を解除することにより、オリフィス部材３４の弾性に基づいて、オリフィス部材３４が拡開する前の形状に戻るように変形する。それに際して、第二の周溝２４ｂの底面に突設された充填ゴム３０をオリフィス部材３４の周方向両端部３６ａ, ３６ｂの間に配して、各端部３６周方向で離隔して位置せしめると共に、周方向両端部３６ａ, ３６ｂを含むオリフィス部材３４の内周面を第二の周溝２４ｂに被着されたシールゴム層２８を挟んで第二の周溝２４ｂの底面に重ね合わせて支持させる。これにより、オリフィス部材３４を一体加硫成形品２６に対して軸直角方向に組み付けて装着し、図９に示される如き組付け体４８を得る。なお、このようなオリフィス部材３４を一体加硫成形品２６に組み付ける工程は、大気中で行うことも可能であるが、望ましくは非圧縮性流体中で行うことにより、大気中での組み付けによって部材同士の当接面間等に残存した空気が後述する第一及び第二の流体室中４６ａ, ４６ｂに残留して防振性能に悪影響を及ぼすこと等が軽減乃至は回避される。
【００６７】
さらに、非圧縮性流体中において、組付け体４８を別途準備した外筒金具１４に内挿すると共に、外筒金具１４に八方絞り等の縮径加工を施して、外筒金具１４を組付け体４８に流体密に固着する。それによって、一体加硫成形品２６における第一のポケット部３２ａおよび第二のポケット部３２ｂと外筒金具１４の間に非圧縮性流体が封入された第一の流体室４６ａおよび第二の流体室４６ｂを形成すると共に、オリフィス部材３４の凹溝３８と外筒金具１４の間に非圧縮性流体が封入されて、第一及び第二の流体室４６ａ, ４６ｂを相互に連通せしめるオリフィス通路４８を形成する。また、オリフィス部材３４の軸方向溝５４の開口部分を外筒金具１４に被着されたシールゴム層４４を挟んで外筒金具１４で流体密に覆蓋する。
【００６８】
更にまた、緩衝ゴム５２と一体加硫成形したストッパ部材５０の一対を、内筒金具１２の軸方向端部にそれぞれ圧入固定して、金属スリーブ１８を挟んで外筒金具１４と軸直角方向で所定の距離を隔てて対向位置せしめる。それによって、防振ブッシュ１０を得る。
【００６９】
上述の如き構造とされた防振ブッシュ１０においては、例示の如くオリフィス部材３４の周方向両端部３６ａ, ３６ｂの離隔距離が、金属スリーブ１８の第一及び第二の周溝２４ａ, ２４ｂの周方向長さより小さくされている場合にあっても、オリフィス部材３４の軸方向溝５４が形成された周方向中央部分の変形が容易に許容されていることに基づいて、オリフィス部材３４の軸方向溝５４を挟んだ周方向両側部分を弾性的に径方向外方に押し広げて、金属スリーブ１８に対して軸直角方向に容易に嵌め付けることが出来ると共に、オリフィス部材３４を押し広げる前の形状に戻して、金属スリーブ１８に密着状態で組み付けることが出来る。それ故、周方向長さが長い、換言すると開口部が小さいＣ字形状のオリフィス部材５４においても一体加硫成形品２６に安定して且つ効率良く組み付けられる。
【００７０】
しかも、オリフィス部材３４の軸方向幅寸法が一体加硫成形品２６における第一及び第二のポケット部３２ａ, ３２ｂの軸方向幅寸法以下とされていることにより、オリフィス部材３４の周方向両端部３６ａ, ３６ｂを両ポケット部３２ａ, ３２ｂ内に差し入れて、オリフィス部材３４を軸直角方向に組み付けることが出来る。即ち、オリフィス部材３４を金属スリーブ１８を全体に亘って軸直角方向に跨ぐように大きく拡げる必要もないのであり、オリフィス部材３４の応力が有利に軽減される。それ故、オリフィス部材３４や凹溝３８の形状安定性が良好に保持され、第一及び第二の流体室４６ａ, ４６ｂやオリフィス通路４８の流体密性が高度に発揮されて、所期の防振効果が安定して得られる。
【００７１】
また、軸方向溝５４の軸方向両端部が弾性突部５８やシールリップ６０，６０によって流体密に閉塞されていると共に、軸方向溝５４におけるオリフィス部材３４の外周面への開口が外筒金具１４の内周面に被着形成されたシールゴム層４４によって覆蓋せしめられる。それ故、軸方向溝５４が実質的に閉塞せしめられることとなり、軸方向溝５４を通じてのオリフィス通路４８の圧力漏れが有利に抑えられることから、防振効果がより一層安定して得られる。
【００７２】
また、本実施形態では、内筒金具１２の軸方向中央部分が他の部分に比して大径とされていることによって、内筒金具１２の軸直角方向の投影面積を増すことができる。それ故、防振ブッシュ１０に対して径方向の振動が入力された場合に、本体ゴム弾性体１６や第一及び第二の流体室４６ａ, ４６ｂに対する内筒金具１２の有効ピストン面積の投影面積を大きく取ることが出来て、防振効果を一層有利に得ることができる。
【００７３】
以上、本発明の実施形態について詳述してきたが、これはあくまでも例示であり、かかる実施形態における具体的な記載によって、本発明は、何等限定されるものでなく、当業者の知識に基づいて種々なる変更、修正、改良等を加えた態様で実施可能である。また、そのような実施態様が、本発明の趣旨を逸脱しない限り、何れも、本発明の範囲内に含まれるものであることは、言うまでもない。
【００７４】
例えば、前記実施形態において、第一及び第二の流体室４６ａ, ４６ｂは、何れも振動入力時に本体ゴム弾性体１６の弾性変形に基づいて内圧変動が積極的に生ぜしめられる受圧室とされており、二つの流体室４６ａ, ４６ｂには、振動入力時に相対的な圧力変動が生ぜしめられて、オリフィス通路４８を通じて第一の流体室４６ａと第二の流体室４６ｂの間において流体流動が生じるようになっている。しかしながら、例えば特開２００３−１２０７４４号公報等にも示されているように、一方の流体室が振動の入力によって内圧変動が生じる受圧室とされて、前記実施形態における第一若しくは第二の流体室４６ａ,４６ｂと実質的に同一の構造をもって構成されると共に、他方の流体室が壁部の一部が変形容易な可撓性膜等によって構成されて、容積変化が許容される平衡室とされた防振ブッシュに対しても、本発明は適用可能である。
【００７５】
また、前記実施形態では、二つの流体室４６ａ, ４６ｂを一つのオリフィス通路４８で連通せしめた構造とされていたが、要求される防振特性等に応じて更に流体室やオリフィス通路を設けることも可能である。
【００７６】
また、オリフィス部材３４やオリフィス部材３４に形成される凹溝３８、軸方向溝５４の形状や大きさ、構造、位置、数等は、例示の如きものに限定されるものでない。
【００７７】
また、前記実施形態において、内筒金具１２の軸方向両端部に取り付けられたストッパ部材５０，５０は、必ずしも設ける必要はなく、また、設ける場合においても、その形態は前記実施形態によって何ら限定されるものではない。
【００７８】
加えて、前記実施形態では、本発明を自動車用のサスペンションブッシュ等に適用したものの具体例について示したが、本発明は、その他、自動車用のエンジンマウントやボデーマウント等、或いは自動車以外に用いられる各種の防振装置に対しても適用可能であることは言うまでもない。
【図面の簡単な説明】
【００７９】
【図１】本発明の一実施形態としての自動車用防振ブッシュを示す縦断面説明図であって、図２のＩ−Ｉ断面に相当する図である。
【図２】図１における防振ブッシュを示す横断面説明図である。
【図３】図１における防振ブッシュの一部を構成する本体ゴム弾性体の一体加硫成形品を示す正面説明図である。
【図４】図３における本体ゴム弾性体の一体加硫成形品を示す側面説明図である。
【図５】図１における防振ブッシュの一部を構成するオリフィス部材を示す正面説明図である。
【図６】図５におけるオリフィス部材を示す背面説明図である。
【図７】図５におけるオリフィス部材を示す側面説明図である。
【図８】図１における自動車用防振ブッシュを製造するに際しての一工程を示す横断面説明図である。
【図９】図１における防振ブッシュを製造するに際しての別の一工程を示す正面説明図である。
【符号の説明】
【００８０】
１０  自動車用防振ブッシュ
１２  内筒金具
１４  外筒金具
１６  本体ゴム弾性体
１８  金属スリーブ
２２ａ  第一の開口窓
２２ｂ  第二の開口窓
２６  一体加硫成形品
３２ａ  第一のポケット部
３２ｂ  第二のポケット部
３４  オリフィス部材
３８  凹溝
４６ａ  第一の流体室
４６ｂ  第二の流体室
４８  オリフィス通路
５４  軸方向溝
【図１】
2006138430.tif 000003
【図２】
2006138430.tif 000004
【図３】
2006138430.tif 000005
【図４】
2006138430.tif 000006
【図５】
2006138430.tif 000007
【図６】
2006138430.tif 000008
【図７】
2006138430.tif 000009
【図８】
2006138430.tif 000010
【図９】
2006138430.tif 000011